(57)【要約】  音を、耳に押し当てるモードにおいて、耳に隣接する空間（２２）に伝え、耳から離すモードにおいて、音響自由空間に伝えるように設計される通信装置（１）において、音を発生するためにスピーカ（３）が備えられ、保持手段（２）が更に備えられ、保持手段（２）は第１の保持装置領域（１６）を有し、スピーカ（３）が発生する音を、耳に押し当てるモードにおいて、耳によって阻止されずに、第１の保持装置領域（１６）を通じて伝えることができ、保持手段（２）は、第１の保持装置領域（１６）を有さない第２の保持装置領域（１５Ａ）を有し、スピーカ（３）が発生する音を、耳に押し当てるモードにおいて、第２の保持装置領域を（１５Ａ）通じて、耳に隣接する空間（２２）に供給することができ、第１の音伝達装置が更に備えられ、スピーカ（３）が発生する音を、耳から離すモードにおいて、第１の音伝達装置を用いて、第１の保持装置領域（１６）を通じて音響自由空間に伝えることができ、第２の音伝達装置が更に備えられ、スピーカ（３）が発生する音を、耳に押し当てるモードにおいて、第２の音伝達装置を用いて、第２の保持装置領域（１５）を通じて、耳に隣接する空間（２２）に伝えることができる。
2007519295.tif 000002
【特許請求の範囲】
【請求項１】
音を発生するスピーカを有する通信装置であって、前記通信装置は、前記スピーカが発生した音を、耳に押し当てるモードにおいて、耳に隣接する空間に伝え、耳から離すモードにおいて、音響自由空間に伝えるように設計され、前記通信装置は保持手段を有し、
前記保持手段は第１の保持手段領域を有し、前記スピーカが発生する音を、前記耳に押し当てるモードにおいて、前記耳によって阻止されずに、前記第１の保持手段部を通じて伝えることができ、
前記保持手段は、前記第１の保持手段領域を有さない第２の保持手段領域を有し、前記スピーカが発生する音を、前記耳に押し当てるモードにおいて、前記第２の保持手段領域を通じて、前記耳に隣接する空間に供給することができ、
前記通信装置は第１の音伝達手段を有し、前記スピーカが発生する音を、前記耳から離すモードにおいて、前記第１の音伝達手段を用いて、前記第１の保持手段領域を通じて前記音響自由空間に伝えることができ、
前記通信装置は第２の音伝達手段を有し、前記スピーカが発生する音を、前記耳に押し当てるモードにおいて、前記第２の音伝達手段により、前記第２の保持手段領域を通じて、前記耳に隣接する空間に伝えることができる、通信装置。
【請求項２】
前記通信装置は、その内部に、前記スピーカにより音に直に晒される音収集チャンバを有し、
前記第１の音伝達手段は、少なくとも前記第１の保持手段領域に開口するように設計される音デリバリチャンバと、結合ダクトとを有し、前記結合ダクトは、その一端が音収集チャンバに開口しており、他端が音デリバリーチャンバに開口する、請求項１に記載の通信装置。
【請求項３】
前記結合ダクトは実質的に矩形状のフロー断面を有し、前記フロー断面は、５ｍｍから８ｍｍの範囲の幅を有し、０．３ｍｍから０．７ｍｍの範囲の高さを有する、請求項２に記載の通信装置。
【請求項４】
前記音デリバリーチャンバは、０．０１ｃｃｍから０．４ｃｃｍの範囲の容積を有する、請求項３に記載の通信装置。
【請求項５】
前記音デリバリーチャンバは、前記第１の保持手段領域に開口するように設計される領域において、音響摩擦を有するカバーで覆われる、請求項２に記載の通信装置。
【請求項６】
前記第２の音伝達手段は、前記音デリバリーチャンバの境界壁を貫通する少なくとも１つの経路を用いて形成される、請求項２に記載の通信装置。
【請求項７】
前記少なくとも１つの経路は、１ｍｍ２と５ｍｍ２との間の範囲の断面積を持つフロー断面を有する、請求項６に記載の通信装置。
【請求項８】
前記少なくとも１つの経路は、前記音デリバリーチャンバの内側に沿って、音響摩擦を有するカバーで覆われる、請求項６に記載の通信装置。
【請求項９】
少なくとも部分的に前記第２の保持手段領域内に配される音偏向手段であって、前記第２の保持手段領域を通じて耳に隣接する空間に伝えられる音を、前記空間から音響自由空間に偏向させるように設計される音偏向手段が備えられる、請求項１に記載の通信装置。
【請求項１０】
前記音偏向手段は、少なくとも前記第１の保持手段領域に開口する音偏向チャンバと、偏向ダクトと、を有し、
前記偏向ダクトは、一端が音偏向チャンバに開口し他端が耳に隣接する空間に開口する、請求項９に記載の通信装置。
【請求項１１】
前記偏向ダクトの断面を覆い且つ音響摩擦を有するカバーが、前記音偏向チャンバの中において、前記偏向ダクトの開口の領域に備えられる、請求項１０に記載の通信装置。
【請求項１２】
モジュールが備えられ、前記モジュールは前記スピーカと前記スピーカの保持手段とを有し、前記モジュールは前記第１の音伝達手段と前記第２の音伝達手段とを有する、請求項１に記載の通信装置。
【請求項１３】
前記モジュールは前記スピーカと前記スピーカの保持手段とを有し、前記モジュールは前記第１の音伝達手段と前記第２の音伝達手段とを有する、請求項１２に記載の通信装置のモジュール。
【発明の詳細な説明】
【技術分野】
【０００１】
本発明は、音を発生するスピーカを有する通信装置であって、前記スピーカが発生した音を、耳に押し当てるモードにおいて、耳に隣接する空間に伝え、耳から離すモードにおいて、音響自由空間に伝えるように設計される通信装置に関する。
【０００２】
本発明は、通信装置用のモジュールにも関する。
【背景技術】
【０００３】
冒頭のパラグラフの最初に挙げられている一般的な種類の斯かる通信装置は、特許文書ＵＳ６１４８０８０号に開示されている。
【０００４】
携帯電話として実現される既知の通信装置の場合、ハウジング内には、音を生成するために、単一のスピーカが備えられており、このスピーカは、音伝達手段を形成しており、耳に押し当てるモードと、ハンズフリーモードとも呼ばれる耳から離すモードとの両方で使用される。携帯電話のハウジングは、スピーカを保持する保持手段を形成するとともに第１の保持手段領域又はハウジング領域を有し、発生する音を、耳に押し当てるモードにおいて、ユーザの耳で妨害されることなく、第１の保持手段領域又はハウジング領域を通じて伝えることができる。第１の保持手段領域内には、多数のハウジング開口によって形成される第１の音伝達手段が備えられ、その開口を使用して、耳に押し当てるモードにおいてスピーカにより音を耳に隣接する空間に伝達又は送ることができ、耳から離すモードにおいてスピーカにより音を音響自由空間に伝達又は送ることができる。多数のハウジング開口は、ユーザの耳によって同時には覆われることができないように配されている。ハウジングは、さらに、第２のハウジング領域又は第２の保持手段領域を有する。この領域は、第１の保持手段領域も有し、測定用の標準的な耳の面積を有し、耳に押し当てるモードにおいて通常はユーザの耳が通信装置に接触するハウジングの部分に備えられる。第２の保持手段領域は、耳が音を直に受けることを避けるために、ハウジング開口がない。その結果、スピーカを用いて生成される音は、耳に隣接する空間に間接的に、即ち開口のない第２のハウジング領域又は音響自由空間を通じて伝わるだけである。
【０００５】
既知の通信装置では、携帯電話を誤って操作する場合、即ち、耳から離すモードが起動しているにもかかわらずユーザがうっかり携帯電話を耳に押し当てて保持する場合、耳から離すモードにおいて生じる比較的高い音圧によるユーザの聴覚器官の過負荷が確実に回避されるが、耳に押し当てるモードにおいて正しく取り扱う場合、耳に押し当てるモードにおいて、音の最適な知覚に必要な音圧又は必要な音圧周波数応答が達成できないので、ユーザによる音の音響的知覚についてはっきりと分かる音質ロスがある。
【発明の開示】
【発明が解決しようとする課題】
【０００６】
本発明の目的は、冒頭の最初の一般的な種類の通信装置の上記の問題を回避すること、並びに改良された通信装置および通信装置用の新規のモジュールを提供すること、にある。
【課題を解決するための手段】
【０００７】
上記の目的を達成するために、本発明の特徴が本発明による通信装置に備えられ、本発明による通信装置を以下に記載されたように特徴付けることができる。つまり、
通信装置は、音を発生するスピーカを有し、上記通信装置は、上記スピーカが発生した音を、耳に押し当てるモードにおいて、耳に隣接する空間に伝え、耳から離すモードにおいて、音響自由空間に伝えるように設計され、上記通信装置は保持手段を有し、上記保持手段は第１の保持手段領域を有し、上記スピーカが発生する音を、上記耳に押し当てるモードにおいて、上記耳によって阻止されずに、上記第１の保持手段部を通じて伝えることができ、上記保持手段は、上記第１の保持手段領域を有さない第２の保持手段領域を有し、上記スピーカが発生する音を、上記耳に押し当てるモードにおいて、上記第２の保持手段領域を通じて、上記耳に隣接する空間に供給することができ、上記通信装置は第１の音伝達手段を有し、上記スピーカが発生する音を、上記耳から離すモードにおいて、上記第１の音伝達手段により、上記第１の保持手段領域を通じて上記音響自由空間に伝えることができ、上記通信装置は第２の音伝達手段を有し、上記スピーカが発生する音を、上記耳に押し当てるモードにおいて、上記第２の音伝達手段により、上記第２の保持手段領域を通じて、上記耳に隣接する空間に伝えることができる。
【０００８】
上記の目的を達成するために、本発明によるモジュールに、本発明による特徴が備えられ、本発明によるモジュールを以下に記載されたように特徴付けることができる。つまり、
請求項１２に記載された通信装置のモジュールであり、上記モジュールは上記スピーカと上記スピーカの保持手段とを有し、上記モジュールは上記第１の音伝達手段と上記第２の音伝達手段とを有する。
【０００９】
本発明による手段を備えることにより、耳に押し当てるモードの場合と耳から離すモードの場合との両方において、音の最適な知覚に必要な音圧、又は必要な音圧周波数応答を確実に実現できるという利点がある。
【００１０】
本発明を実現する場合、例えば、音収集チャンバを音デリバリーチャンバに直に接続することができる。しかし、本発明の実現において、請求項２に記載された手段を付加的に備える場合に特に有利であることが分かった。これによって、音収集チャンバと音デリバリーチャンバとの間に明確な音響抵抗が存在するという利点が得られる。
【００１１】
本発明の実現において、請求項３に記載された手段を備える場合に有利であることが更に分かった。これによって、スピーカにより発生する音が、周波数応答が修正され、音圧が変化して、音デリバリーチャンバに伝えられるという利点が得られる。
【００１２】
本発明を実現する場合、請求項４に記載された手段を備える場合に有利であることが更に分かった。これによって、結合ラインと、大きさに関してこの結合ラインに合う音デリバリーチャンバとが、共振器を形成し、これを用いて、例えば、呼出しモード又は信号モード又は音楽再生モードも割り当てられるハンズフリーモードでの音圧周波数応答を増大させるために、音レベルが或る周波数範囲に、正確には、この場合４ｋＨｚと１０ｋＨｚとの間の周波数範囲に、増幅するという利点が得られる。
【００１３】
本発明の実現において、請求項５に記載された手段を備える場合に有利であることが更に分かった。これによって、不意の汚染物に対して保護作用が実現されるという利点、および、例えば、スピーカのメンブレン（membrane）の偏向が許容限度内に保たれるように、スピーカの基本共振などの共振動作が減衰するという利点が得られる。
【００１４】
本発明の実現において、例えば、経路が音収集チャンバに直に開口するようにできる。しかし、本発明の実現において、請求項６に記載の手段を備える場合に特に有利であることがわかった。その理由は、請求項６の手段によって、音収集チャンバの音圧と比較して低減した音圧が存在する領域からの音を外部へと結合できるからである。
【００１５】
本発明の実現において、請求項７に記載の手段を備える場合に有利であることが更に分かった。これによって、音デリバリーチャンバからの音を経路に結合することは、ハンズフリーモード、つまり、耳から離すモードでの音デリバリーチャンバによる音響自由空間への音伝達にそれほど影響を与えず、それにもかかわらず、耳に押し当てるモードにおいて、良好に知覚するのに必要な音が得られるという利点が実現される。
【００１６】
本発明の実現において、請求項８に記載の手段を備える場合に有利であることが更に分かった。これによって、一方では、意図しない汚染物に対する保護が実現され、他方では、ユーザの耳での最大音量を制限できるという利点が得られる。
【００１７】
本発明の実現において、請求項９に記載の手段を備える場合に有利であることが更に分かった。これによって、耳に隣接する空間において、音圧がかなり減少するという利点が得られる。更に、耳に押し当てるモードにおける音圧周波数応答が種々の取扱いの状況（例えば、耳が第２の保持手段領域に完全に押し付けられている、又は第２の保持手段領域が完全には覆われていない、又は耳が第２の保持手段領域を覆っていない、又は耳が第２の保持手段領域から数ミリメートル〜数センチメートル離れている）に比較的影響を受けないという利点が得られる。
【００１８】
本発明の実現において、請求項１０に記載の手段を備える場合に有利であることが更に分かった。これによって、明確な音響抵抗を使用することによって空気が流通するという利点が得られる。
【００１９】
本発明の実現において、請求項１１に記載の手段を備える場合に有利であることも更に分かった。これによって、意図しない汚染物から保護され、共振の減衰の結果として、音レベルが低周波数において低減され、所望のレベルに適合されるという利点が得られる。
【００２０】
本発明の実現において、請求項１２に記載の特徴を備える場合に有利であることが更に分かった。これによって、最適な音響的挙動のために、音響的に封止されたシステムの許容しない誤差のことを通信装置の製造時に考慮することなく、スピーカの周りの重大な影響のある領域が音響的に封止されるように実際に作ることができるという利点が得られる。
【００２１】
請求項１３に記載のモジュールの場合、請求項２〜１１のうちのいずれか一項に記載の通信装置に関して記載された手段も備えられ、それに応じて通信装置の場合に述べられた利点が斯かるモジュールの場合にも効力を発揮することにも注意すべきである。
【００２２】
本発明のこれらおよび他の態様は、以下に記載される実施例から明らかであり、これら実施例を基準にして説明されるだろう。
【００２３】
本発明は、図面に示される典型的な２つの実施例に関して更に以下に記載されるが、本発明は、これらに限定されるものではない。
【発明を実施するための最良の形態】
【００２４】
図１は、携帯電話１として実現される通信装置を示す。携帯電話１はハウジング１Ａを有し、ハウジング１Ａは、携帯電話１に収容される部品を保持するように設計される保持手段２を形成する。図１は、これら部品のうちの、１６ｍｍの直径を有するスピーカ３と、ディスプレイ４と、複数のキー６を有するキーパッド５とを示す。図１は、保持手段２によって同様に保持される他の部品、即ち、電気回路は示していない。
【００２５】
保持手段２は第１の保持手段部２Ａを有し、これは、実質的に皿状に設計され、携帯電話１の前部境界壁７と側部境界壁８とを実現する。保持手段２は第２の保持手段部２Ｂを更に有し、これは、プレート状に設計され、携帯電話１の後部境界壁９を形成する。後部境界壁９は、特に、ディスプレイおよびキーパッドの領域からスピーカ３の領域において、側部境界壁８と同一面の携帯電話１の外周部に沿う広い領域に終端している。
携帯電話１は、スピーカ３の領域に、後部チャンパ１０を更に有する。この後部チャンパ１０は、ディスプレイ４の方向に広がっており、少なくとも部分的にスピーカ３の後ろに直に備えられ、スピーカ３の後ろに存在する空気を封止する。後部チャンバ１０は、前部境界壁７の一部と後部境界壁９の一部と側部境界壁８の一部と、第１の保持手段２Ａにより実現される４つの後部チャンパ境界壁１１、１１Ａ、１１Ｂ、および１１Ｃと、を用いて実現される。第１の保持手段部２Ａおよび第２の保持手段部２Ｂは、後部チャンバ１０が実質的に音響的にしっかりと封止されるように、互いに取り付けられている。
【００２６】
携帯電話１は前部チャンパ１２を有している。この前部チャンパ１２は、スピーカ３の前に配されており、前部境界壁７と前部チャンバ境界壁１３とを用いて実現されている。前部チャンパ境界壁１３は、第１の保持手段部２Ａに設けられており、スピーカ３がその外周部に沿って接着されている円形支持体を形成する。前部チャンパ１２は、スピーカ側がスピーカ・カバー１４によって封止されており、スピーカ・カバー１４は、スピーカの基本共振を減衰させる助けとなる音響摩擦（acoustic friction）を有し、比較的薄いスピーカ膜が汚染物に直に晒されることから保護する。
【００２７】
通信装置１は、耳に押し当てるモードにおいて、即ち、ユーザの耳を図１〜図３に概略的に示されている測定用標準耳領域１５に持って行く場合、スピーカ３が発生する音を伝えるように設計されている。通信装置１は、更に、耳から離すモードにおいて、即ち、ハンズフリーモードにおいて、スピーカ３が発生する音を携帯電話１の周囲の音響自由空間に伝えるように設計されている。耳から離すモードで音を伝えるために、保持手段２は第１の保持手段領域１６を有しており、スピーカ３が発生する音を、耳に押し当てるモードにおいて、耳で妨害されずに、第１の保持手段領域１６を通じて伝えることができる。ここでは、第１の保持手段領域１６は、ハウジング１Ａの側部境界壁８の左上又は右上の部分に備えられる。
【００２８】
通信装置１は、その内部に、スピーカ３により音に直に晒される音収集チャンバを有しており、発生する音を、音収集チャンバから携帯電話１によって伝えることができる。ここでは、音収集チャンバは、前部チャンバ１２によって実現されている。しかし、音収集チャンバは、例えば前部チャンバが音響的にしっかりと封止されている場合は後部チャンバ１０によって実現できることも注意すべきである。
【００２９】
耳から離すモードを実現するため、携帯電話１は保持手段２を用いて実現される第１の音伝達手段を有し、スピーカ３が発生する音を、第１の音伝達手段を用いて、耳から離すモードにおいて、第１の保持手段領域１６を通じて音響自由空間に伝達することができる。第１の音伝達手段は、第１の保持手段領域１６を向いて開くように設計される第１の音デリバリーチャンバ１７Ａと、第２の音デリバリーチャンバ１７Ｂとを少なくとも有しており、音デリバリーチャンバ１７Ａおよび１７Ｂは、後部境界壁９の一部、前部境界壁７の一部、後部チャンバ境界壁１１の一部を用いて、第１のチャンバ仕切部１９Ａおよび後部チャンバ境界壁１１Ａにより、又は第２のチャンバ仕切部１９Ｂおよび後部チャンバ境界壁１１Ｂにより、境界が付けられている。第１の音伝達手段は第１の結合ダクト２０Ａを更に有しており、この結合ダクト２０Ａはその一端が音収集チャンバに開口しており、他端が音デリバリーチャンバ１７Ａに開口しており、結合ダクト２０Ａは第１の保持手段部２Ａを用いて完全に実現される。第２の音伝達手段は第２の結合ダクト２０Ｂを更に有しており、この結合ダクト２０Ｂはその一端が音収集チャンバにおいて開口しており、他端が音デリバリーチャンバ１７Ｂにおいて開口しており、結合ダクト２０Ｂは第１の保持手段部２Ａを用いて完全に実現される。
【００３０】
したがって、結合ダクト２０は前部チャンバ境界壁１３を貫通しており、側部境界壁８からスピーカ３に延在する後部チャンバ境界壁１１Ａおよび１１Ｂに実質的に平行に延在している。結合ダクト２０Ａおよび２０Ｂは、実質的に矩形状のフロー断面を有し、この断面は６ｍｍの幅および０．５ｍｍの高さを有する。音デリバリーチャネル１７は、０．３ｃｃｍの容積を有する。さらに、音デリバリーチャンバ１７Ａおよび１７Ｂの各々は、それらが第１の保持手段領域１６に開口を有するように設計される領域において、音響摩擦（acoustic friction）を有し汚染物質から保護するカバー２１Ａ又は２１Ｂを有している。その結果として、耳から離すモードにおいて、矢印Ｐ１およびＰ２に沿って音を伝達することができる。
【００３１】
保持手段２は更に第２の保持手段領域１５Ａを有している。第２の保持手段領域１５Ａは、測定用標準耳領域１５に対応しており、第１の保持手段領域１６を有していない。耳に押し当てるモードにおいてスピーカ３が発生した音を、第２の保持手段領域１５Ａを通じて、耳に隣接する空間２２に送ることができる。したがって、第２の保持手段領域１５Ａは、ハウジング１Ａの外部からアクセス可能なハウジング領域であって、耳から離すモードにおいて耳で妨害されずに音が音響自由空間に逃げることができるようなハウジング領域を有していない。斯かるハウジング領域は、ここでは、音響自由空間に開口している第１の音デリバリーチャンバ１７Ａおよび第２の音デリバリーチャンバ１７Ｂの開口により形成されている。ここでは、第１の保持手段領域１６は、前部境界壁７の円によって第２の保持手段領域１５Ａから分離されており、この円は、測定用標準耳領域１５の限界を示している。
【００３２】
音を耳へ伝える目的で、第２の音伝達手段が保持手段２を用いて実現され、この第２の音伝達手段を用いて、スピーカ３が発生する音を、耳に押し当てるモードにおいて、第２の保持手段領域１５Ａを通じて、耳に隣接する空間２２に伝えることができる。第２の音伝達手段は、音デリバリーチャンバ１７の壁により、第１の経路２３Ａと第２の経路２３Ｂとを用いて形成され、音デリバリーチャンバ１７の壁は第１の保持手段部２Ａの前部境界壁７の一部によって形成される。経路２３Ａおよび２３Ｂは、断面積３ｍｍ２のフロー断面を有しており、経路２３Ａおよび２３Ｂの各々は、音デリバリーチャンバ１７の内側に沿って、音響摩擦を有するカバー２４Ａおよび２４Ｂで覆われている。その結果として、耳に押し当てるモードでの音を、矢印Ｐ３およびＰ４に沿って伝えることができる。この点に関して、第１の保持手段領域１６は、第２の保持手段領域１５Ａを省略することによって、携帯電話１又はそのハウジング１Ａの他の所望の部分に備えることもできることに注意すべきである。
【００３３】
携帯電話１は更に音伝達手段を有している。この音伝達手段は、第２の保持手段領域１５Ａ内に、即ち測定用標準耳領域１５内に、少なくとも部分的に配されており、第２の保持手段領域１５を通じて耳に隣接する空間２２に伝えることができる音を、この空間２２から音響自由空間に移動させるように設計されている。この目的のために、音偏向手段は、少なくとも第１の保持手段領域１６に開口する音偏向チャンバ２４を有する。音偏向チャンバ２４は、後部境界壁７の一部、前部境界壁７の一部、チャンバ仕切部１９Ａおよび１９Ｂ、並びにチャンバ仕切り部１９Ａと１９Ｂとの間を延在する後部チャンバ境界壁１１の一部によって、境界がつけられている。
【００３４】
音偏向手段は、一端が音偏向チャンバ２４に開口し他端が耳に隣接する空間２２に開口する偏向ダクト２５を更に有する。この目的のため、偏向ダクト２５は、チャンバ仕切部１９Ａと１９Ｂとの間に延在する後部チャンバ境界壁１１の部分に沿って、第２の保持手段領域内、即ち測定用標準耳領域１５内で前部境界壁７を貫通している。偏向ダクト２５は、音偏向チャンバ２４の中において、開口の領域に、偏向ダクト２５の断面を覆い音響摩擦を有するカバー１８が更に備えられている。その結果として、矢印Ｐ５に沿って空気の流通が生じる。
【００３５】
その結果として、本発明によれば、耳に押し当てるモードと耳から離すモードとの両方において２つの音伝達手段が同時に利用可能又はアクティブであるので、音が単一のスピーカ３で発生して同時に携帯電話１の第１および第２の音伝達手段を通じて伝えられる携帯電話１が提供される。この場合、音は、間接的に、即ちカバーを通じて伝えられるが、このカバーは音を直接的に伝えることもできるように省略できることに注意すべきである。同様に、音響摩擦を実現しないカバーを備えることもできる。この手段を備えることによって、耳から離すモードにおいて不注意で誤って使用した場合に、即ち、このモードにおいて携帯電話１が不注意で耳の周辺に運ばれた場合に、本発明による手段を備えた結果人間の聴覚器官に不当にかかる負荷を事実上発生しないようにできるので、この負荷がかかることを防止する助けをする追加の電気的又は機械的保護手段を備える必要がなくなる。さらに、耳に押し当てるモードにおいて、耳に隣接する空間２２が、直に、正確にいうと、音響自由空間に直に通じることが達成される。この接続において、スピーカ３により音に晒されるチャンバ又はダクトが空気の流通に使用されないことが特に有利であることが分かった。音はスピーカ３によって一方の側から（ここでは、前側から）伝えられ、その結果として、スピーカ３の前側とスピーカ３の後側との間が音響的に短絡することを回避するために専ら後部チャンバ１０の容積が使用されることが特に有利であることが更に分かった。
【００３６】
この点において、２個の音デリバリーチャンバ１７Ａおよび１７Ｂの代わりに、単一の音デリバリーチャンバを備えること、又は斯かる音デリバリーチャンバを例えば３個、４個、５個、又は１０個など、２つ以上備えることもできることに注意すべきである。偏向ダクト２５および２つの経路２３Ａおよび２３Ｂは図１に示される以外の形状を有することができることも更に注意すべきである。例えば、通路２３Ａおよび２３Ｂは、直径が異なる２つの領域を有することができ、これは、２つの領域のうちの狭い方の経路領域をスピーカ３の方向に備え、広い方の経路領域を耳に隣接する空間２２の方向に備えることが有利である。
【００３７】
偏向ダクト２５と経路２３Ａ又は２３Ｂとの間の間隔が、測定用標準耳領域１５の直径（２５．４ｍｍである）の内側に存在するという条件では、偏向ダクト２５と経路２３Ａ又は２３Ｂとの間の相対的な位置を、望むように変えることができることに更に注意すべきである。したがって、第２の保持手段領域１５Ａの形状は図１に示される円形からずれていてもよく、第２の保持手段領域１５Ａはスピーカ３と直に対向するように配される必要もない。各経路用に個別のダクトを備えることもできることに更に注意すべきである。
【００３８】
この点において、スピーカ３の前部と後部との間の音響キャンセルをできるだけ小さくするために、一般に、スピーカ３の後部からの（即ち、後部チャンパ１０からの）音の伝達は、スピーカ３の前部からの（即ち、音収集チャンバからの）音の伝達よりも十分に小さいべきであるという条件があることに更に注意すべきである。当該条件は、後部チャンバ１０が音響的にしっかりと封止されている場合、最適に満たされる。しかし、例えば、低音反射開口など、故意にリークを与えることも可能である。ハウジング１Ａにより形成される保持手段２を用いて完全にシールされた後部チャンバ１０を実現するのが高価になりすぎる場合、僅かなリークを許容することもできる。
【００３９】
図４に示される携帯電話１はハウジング１Ａを有し、このハウジング１Ａは、２つの部分からなるデザインを有し、第１の携帯電話部２６と第２の携帯電話部２７とを有する。携帯電話部２６および２７はスイベルデバイス２８によって互いに取り付けられており、スイベルデバイス２８の回転軸を中心に互いにの方へと回転可能であり、結果として、できるだけコンパクトな構成が実現される。携帯電話１は、ハウジング１Ａ内に、第１の携帯電話部２６に備えられるモジュール２９を有する。モジュール２９は、スピーカ３と、このスピーカ３の保持手段２と、を有する。モジュール２９は、更に、第１の音伝達手段と第２の音伝達手段とを有する。モジュール２９のデザインは図１に示される携帯電話１のヘッド部に実質的に対応し、したがって、図４に示される断面線II−IIおよびIII−IIIに沿うモジュール２９の断面は、図１による携帯電話の図２および図３に示される断面に実質的に対応する。
【００４０】
携帯電話１から第２の音伝達手段および第１の音伝達手段により伝達される音が妨害されずに伝達できるようにする目的で、ハウジング１Ａは、音デリバリーチャンバ１７Ａおよび１７Ｂ、音偏向チャンバ２４、偏向ダクト２５、又は経路２３Ａおよび２３Ｂに対応するハウジングチャネル又はハウジング開口２３ＡＡ、２３ＢＢ、１７ＡＡ、１７ＢＢ、２４ＡＡおよび２５ＡＡを有する。しかし、モジュール２９の外周部が携帯電話１の外周部に実質的に一致する場合、ハウジングチャンネルを省略でき、その結果、ハウジング開口部２３ＡＡ、２３ＢＢ、１７ＡＡ、１７ＢＢ、２４ＡＡおよび２５ＡＡだけが必要となることに注意すべきである。
【００４１】
モジュール２９は、スピーカ３を用いて実現される音響機能に加えてさらに機能を備えることができるように、例えばディスプレイ４又はキーパッド５などの携帯電話１の他の部品を有することができ、これによって、携帯電話１の組立において、複数の組立部品をハウジングに挿入する必要がなくモジュール２９自体を挿入するだけであるという効果が得られることも注意すべきである。
【００４２】
スピーカ３は、電気信号をスピーカ３に供給することができるようにいわゆるばね接点を有することができることに注意すべきである。この接続において、モジュール２９の内部において、プリント回路基板に実装される電気回路であって、電気信号をスピーカ３に伝達するように設計されるとともにスピーカ３のばね接点に対応する接点を有する電気回路を後部チャンバ１０内に備え、第１の保持手段部２Ａと第２の保持手段部２Ｂとを組み立てるときに、特に他の位置決め又は手動の結合動作をすることなく、スピーカ３のばね接点がそれに対応する電気回路の接点に接続されるようにすることができることも更に注意すべきである。同じことは、例えば、ディスプレイ４がモジュール２９に備えられ、このディスプレイ４が第１の保持手段部２Ａに取り付けられ、このディスプレイ４が、スピーカ３と同様に、ディスプレイ４を制御するために第２の保持手段部２Ｂに取り付けられる電気回路に接続される場合にも当てはまる。
【００４３】
結合ダクト２０のフロー断面は結合ダクト２０の長さに依存し、ここでは結合ダクト２０の長さは前部チャンバ境界壁１３の厚さによって与えられることに更に注意すべきである。特定の機械的な条件を満たす範囲内で変えることができる前部チャンバ境界壁１３の厚さに依存して、便宜的にフロー断面の幅が５ｍｍから８ｍｍの範囲内でありフロー断面の高さが０．３ｍｍから０．７ｍｍの範囲内にある種々の大きさのフロー断面（ここでは矩形状の断面である）が可能である。フロー断面の高さは前部チャンバ１２の高さによって制限されることに更に注意すべきである。通常、結合ダクト２０の長さをＸ倍に変えると、結合ダクトのフロー断面もＸ倍変わり、具体的には、この長さが増加する場合はフロー断面も増加し、この長さが減少する場合はフロー断面も減少するといえる。フロー断面は楕円又は円の形状を有することもできることに更に注意すべきである。
【００４４】
音デリバリチャンバ１７に関して、帯域幅が１０ｋＨｚ又は更には１６ｋＨｚの周波数である、例えばいわゆるＢＵＺＺ信号などの音声信号又は音信号を、例えばハンズフリーモードで伝達できるようにするため、結合ダクト２０および音デリバリチャンバ１７が音レベルを或る周波数範囲で意図的に増幅できる助けをする共振器を形成することを念頭において、モジュール２９又は携帯電話１の全体の長さを小さくする目的で、音デリバリチャンバ１７の容積はできるだけ小さくされるべきことを更に注意すべきである。
【００４５】
スピーカとして電磁スピーカ又は電動スピーカを使用できることを更に注意すべきである。圧電スピーカも可能である。
【００４６】
通信装置を、携帯型無線電話、即ち、いわゆる「ウォーキートーキー」とすることもできることに注意すべきである。
【００４７】
更に、斯かるモジュールは、通信装置を実現するいわゆる「携帯情報端末」の部品を構成するようにすることもできる。
【００４８】
音伝達手段は、連続的に先細る又は広がる直線状又は波状の内側部分、更には漏斗型の直線状又は波状の内側部分として設計できることに更に注意すべきである。
【図面の簡単な説明】
【００４９】
【図１】本発明の典型的な第１の実施例による通信装置を概略的に平面図で示す。
【図２】図１による通信装置の、図１のラインII−IIに沿う断面を示す。
【図３】図１による通信装置の、図１のラインIII−IIIに沿う断面を示す。
【図４】図１と同様に、モジュールを有する本発明の典型的な第２の実施例による通信装置を示す。
【図１】
2007519295.tif 000003
【図２】
2007519295.tif 000004
【図３】
2007519295.tif 000005
【図４】
2007519295.tif 000006
【国際調査報告】
2007519295.tif 000007
2007519295.tif 000008
2007519295.tif 000009